(57)【要約】    【課題】      ユーザが要望しない放送データの受信に伴う無駄な電力消費を低減することができるとともに、ユーザが要望しない放送データに関する放送通知を行わないことにより、放送通知が行われることに伴う煩わしさを減少することができる放送データ通信方法、放送データ受信端末及び放送データ通信システムを提供する。    【解決手段】  放送データ通信システムの放送データ送信サーバにおいて、放送通知情報に放送通知情報識別子を付加して配信する。放送通知情報は放送データ受信端末において受信される（Ｓ１）。放送通知情報識別子は通知不要情報として保存され（Ｓ８）、保存された放送通知情報識別子と同一の放送通知情報識別子を含む放送通知情報に対応する放送データの受信は終了させる（Ｓ９）。  【選択図】      図１
2005223649.tif 000002
【特許請求の範囲】
【請求項１】
放送通知情報識別子を含む放送通知情報を送信する段階と、
前記放送通知情報を受信する段階と、
前記放送通知情報に基づき放送データの受信可能通知情報を送信する段階と、
前記受信可能通知情報に基づき放送データを送信する段階と、
前記放送データを受信する段階と、を備え、
前記放送通知情報の前記放送通知情報識別子を保存し、この保存された前記放送通知情報識別子と同一の放送通知情報識別子を含む放送通知情報の受信を終了する段階と、
を備えたことを特徴とする放送データ通信方法。
【請求項２】
前記放送通知情報識別子は、放送番組情報を一意に特定する放送番組通知識別子であることを特徴とする請求項１記載の放送データ通信方法。
【請求項３】
前記放送通知情報識別子は、前記放送データを受信及び再生する放送番組情報を一意に特定する放送番組情報識別子であることを特徴とする請求項１記載の放送データ通信方法。
【請求項４】
前記放送通知情報識別子は、１つ以上の放送番組情報から構築される放送番組群を一意に特定するサービス識別子であることを特徴とする請求項１記載の放送データ通信方法。
【請求項５】
放送通知情報識別子を含む放送通知情報及び放送データを受信し、放送データの受信可能通知情報を送信する通信手段と、
前記放送通知情報の放送通知情報識別子を保存する保存手段と、
前記保存手段に保存された放送通知情報識別子と同一の放送通知情報識別子を含む放送通知情報の受信を終了する受信終了手段と、
を備えたことを特徴とする放送データ受信端末。
【請求項６】
前記受信終了手段は、前記放送通知情報の受信を終了するとともに、前記放送データの前記受信可能情報を送信しないことを特徴とする請求項５記載の放送データ受信端末。
【請求項７】
放送通知情報に放送通知情報識別子を付加する識別子付加手段と、
前記放送通知情報を送信する放送通知情報送信手段と、
前記放送通知情報に基づく放送データの受信可能通知情報を受信する受信手段と、
前記受信可能通知情報を解析する解析手段と、
前記受信可能通知情報に対応する放送データを送信する放送データ送信手段と、
を備えたことを特徴とする放送データ送信サーバ。
【発明の詳細な説明】
【技術分野】
【０００１】
本発明は、放送データ通信方法、放送データ受信端末及び放送データ送信サーバに関し、特に映像、音楽、音声、ニュース、表示データ等のマルチメディアデータを伝送するブロードキャスト／マルチキャスト通信方式を採用する放送データ通信方法、放送データ受信端末及び放送データ送信サーバに関する。
【背景技術】
【０００２】
近年、デジタル衛星放送等の大容量放送においては、映画、音楽、ニュース等の専用チャンネルが多数用意されている。これらの専用チャンネルにおいては、それぞれ専門の企画、内容に応じたプログラムが放送されている。
【０００３】
また、地上波デジタル放送を携帯端末において受信する放送方式や、移動通信網を利用して放送データを送信する放送方式が試みられている。
【０００４】
携帯端末における放送データの同報データ（ブロードキャスト及びマルチキャストを含む）の受信方法として、報知チャンネルにおいて放送通知を聞いた後に、放送データを受信する方法が知られている（例えば、特許文献１参照）。
【特許文献１】特許第３０２２５３０号公報
【発明の開示】
【発明が解決しようとする課題】
【０００５】
しかしながら、前述の携帯端末においては、放送通知を受けるたびに無条件に放送データが受信されてしまう。このため、携帯端末において、既に視聴した放送番組や視聴する必要のない放送番組に関して、ユーザが視聴していない状態においても放送データが受信されてしまい、無駄な電力消費が生じるという課題があった。
【０００６】
本発明は、かかる点に鑑みてなされたものであり、ユーザが要望しない放送データの受信に伴う無駄な電力消費を低減することができるとともに、ユーザが要望しない放送データに関する放送通知を行わないことにより、放送通知が行われることに伴う煩わしさを減少することができる放送データ通信方法、放送データ受信端末及び放送データ送信サーバを提供することを目的とする。
【課題を解決するための手段】
【０００７】
本発明の放送データ通信方法は、放送通知情報識別子を含む放送通知情報を送信する段階と、前記放送通知情報を受信する段階と、前記放送通知情報に基づき放送データの受信可能通知情報を送信する段階と、前記受信可能通知情報に基づき放送データを送信する段階と、前記放送データを受信する段階と、を備え、前記放送通知情報の前記放送通知情報識別子を保存し、この保存された前記放送通知情報識別子と同一の放送通知情報識別子を含む放送通知情報の受信を終了する段階とを備えた構成を採る。
【０００８】
この方法によれば、放送通知情報に含まれる放送通知情報識別子に基づき、同一の放送通知情報識別子を含む放送通知情報の受信を終了することができるので、ユーザが要望しない放送データの受信を停止することができる。
【０００９】
本発明の放送データ通信方法は、前記放送通知情報識別子は、放送番組情報を一意に特定する放送番組通知識別子である構成を採る。
【００１０】
この方法によれば、放送番組通知識別子に基づき、ユーザが要望しない放送番組情報の受信を終了させることができるので、ユーザが要望しない放送データの受信を停止することができる。
【００１１】
本発明の放送データ通信方法は、前記放送通知情報識別子は、前記放送データを受信及び再生する放送番組情報を一意に特定する放送番組情報識別子である構成を採る。
【００１２】
この方法によれば、放送番組情報識別子に基づき、ユーザが要望しない放送番組情報の受信及び再生を終了させることができるので、ユーザが要望しない放送データの受信及び再生を停止することができる。
【００１３】
本発明の放送データ通信方法は、前記放送通知情報識別子は、１つ以上の放送番組情報から構築される放送番組群を一意に特定するサービス識別子である構成を採る。
【００１４】
この方法によれば、サービス識別子に基づき、ユーザが要望しない放送番組群の受信を終了させることができるので、ユーザが要望しない放送データの受信を停止することができる。
【００１５】
本発明の放送データ受信端末は、放送通知情報識別子を含む放送通知情報及び放送データを受信し、放送データの受信可能通知情報を送信する通信手段と、前記放送通知情報の放送通知情報識別子を保存する保存手段と、前記保存手段に保存された放送通知情報識別子と同一の放送通知情報識別子を含む放送通知情報の受信を終了する受信終了手段と、を備えた構成を採る。
【００１６】
この構成によれば、保存手段により放送通知情報の放送通知情報識別子を保存し、この保存された放送通知情報識別子と同一の放送通知情報識別子を含む放送通知情報の受信を終了させ、この受信の終了に伴い通信手段による放送データの受信可能通知情報の送信を停止することができるので、ユーザが要望しない放送データの受信を停止することができる。
【００１７】
本発明の放送データ受信端末は、前記受信終了手段は、前記放送通知情報の受信を終了するとともに、前記放送データの前記受信可能情報を送信しない構成を採る。
【００１８】
本発明の放送データ送信サーバは、放送通知情報に放送通知情報識別子を付加する識別子付加手段と、前記放送通知情報を送信する放送通知情報送信手段と、前記放送通知情報に基づく放送データの受信可能通知情報を受信する受信手段と、前記受信可能通知情報を解析する解析手段と、前記受信可能通知情報に対応する放送データを送信する放送データ送信手段と、を備えた構成を採る。
【００１９】
この構成によれば、識別子付加手段により放送通知情報に放送通知情報識別子を付加し、放送通知情報送信手段により放送通知情報を送信することができ、受信手段により受信された受信可能通知情報を解析手段により解析して送信手段により放送データを送信することができる。
【発明の効果】
【００２０】
本発明によれば、ユーザが要望しない放送データの受信に伴う無駄な電力消費を低減することができるとともに、ユーザが要望しない放送データに関する通知を行わないことにより放送通知が行われることに伴う煩わしさを減少することができる。
【発明を実施するための最良の形態】
【００２１】
本発明の骨子は、放送通知情報に放送通知情報識別子を含み、受信された放送通知情報から放送通知情報識別子を保存し、保存された放送通知情報識別子と同一の放送通知情報識別子を含む放送通知情報の受信を終了させ、この放送通知情報に対応する放送データの受信を停止するようにしたものである。
【００２２】
以下、本発明の実施の形態について図面を参照して詳細に説明する。なお、実施の形態の説明において同一機能を有するものは同一符号を付け、その説明は重複するので省略する。
【００２３】
（実施の形態１）
［放送データ通信システムの構成］
本発明の実施の形態１に係る放送データ通信システム１は、図２に示すように、放送データを送信する放送データ送信サーバ（放送サーバ）１０と、複数の放送データ受信端末４１〜４３とを備え、更に放送データ送信サーバ１０にインターネット６０を経由して放送データを提供する複数の放送データ提供サーバ５１〜５３と、放送データ送信サーバ１０から放送データをコアネットワーク２０を経由して受信しこの放送データを放送データ受信端末４１〜４３に送信（配信）する基地局３１〜３３とを備えて構築されている。ここで、放送データ受信端末４１〜４３、放送データ提供サーバ５１〜５３、基地局３１〜３３のそれぞれの数は実施の形態１において特に限定されるものではない。
【００２４】
放送データ送信サーバ１０は複数の放送データ受信端末４１〜４３に対して同報の放送データを配信する。ここで、配信される放送データは、例えば映画、音楽、ニュース、広告等である。
【００２５】
［放送データ受信端末の構成］
放送データ受信端末４１〜４３は、実施の形態１において、携帯電話機である。この放送データ受信端末４１〜４３は、図３に示すように、放送通知情報識別子を含む放送通知情報を受信し、放送番組情報を要求及び取得し、放送データを受信する通信手段４００と、放送通知情報の放送通知情報識別子を保存する保存手段と、放送データ視聴終了時に保存手段に視聴済みの放送通知情報識別子を含み視聴済みの旨の情報を保存し放送データの視聴を終了する受信終了手段とを備えている。放送データ受信端末４１〜４３は、更に放送データ処理部４１０、入出力処理部４３０と、情報出力部４４０と、操作入力部４５０とを備えている。
【００２６】
通信手段は、放送通知情報受信部４０１と、放送番組情報取得部４０２と、放送データ受信部４０３とを備えて構成されている。
【００２７】
放送通知情報受信部４０１は、放送データ送信サーバ１０から配信される放送通知情報を受信し、この放送通知情報に含まれる放送通知情報識別子を抽出する。ここで、実施の形態１において、放送通知情報Ｄ１（ａ）、Ｄ１（ｂ）、Ｄ１（ｃ）は、図４に示すように、各々、サーバアドレスを含むコンテンツの位置情報ｄ１と、コンテンツＩＤｄ２と、表示情報（文字情報）ｄ３とを含み、放送通知情報識別子Ｄ２は、サーバアドレスを含むコンテンツの位置情報ｄ１とコンテンツＩＤｄ２とによって生成されている。放送通知情報識別子Ｄ２は放送する放送番組を一意に特定する放送番組情報識別子である。
【００２８】
放送番組情報取得部４０２は放送通知情報Ｄ１の放送通知情報識別子Ｄ２に対応する放送番組情報を取得する。放送データ受信部４０３は映像、音楽、ニュース、広告等の放送データを受信する。
【００２９】
放送番組情報取得部４０２は、放送通知情報Ｄ１の放送通知情報識別子Ｄ２に対応する放送番組情報及び放送データが受信可能であるという受信可能通知情報（放送番組情報要求）を放送データ送信サーバ１０に送信する。ここで、放送番組情報は、例えば、図５に示すように、ビデオコンテンツ、オーディオコンテンツ等を含み、どのような番組（メディア）が放送されているかを表示する情報である。具体的には、放送番組情報は、図６に示す「野球」番組、図７に示す「サッカー」番組及び「野球」番組等の放送番組を示す情報である。
【００３０】
保存手段は放送データ保存部４２０により構築されている。この放送データ保存部４２０は、放送通知情報Ｄ１に含まれる放送通知情報識別子Ｄ２を「通知不要情報」として格納（記憶）することができる。放送データ保存部４２０には、内蔵されたメモリ、具体的には電気的消去型不揮発性メモリ（EEPROM）、読出書込可能な揮発性メモリ（SRAMやDRAM）、磁気メモリ（Hard Disk）のいずれかを実用的に使用することができる。また、放送データ保存部４２０には、放送データ受信端末４１〜４３に着脱自在な外部記憶装置、例えばカード型メモリ、スティック型メモリ等を実用的に使用することができる。
【００３１】
放送データ処理部４１０は、お知らせ表示出力判定部４１１と、放送データ受信判定部４１２と、放送終了処理部４１３とを備えて構成されている。お知らせ表示出力判定部４１１は、放送通知情報を受信すると、放送データ保存部４２０に格納された放送通知情報識別子Ｄ２に対して、受信された放送通知情報Ｄ１に含まれる放送通知情報識別子Ｄ２の同一性を判定する。そして、お知らせ表示出力判定部４１１は、放送通知情報識別子Ｄ２が同一の場合に、放送終了処理部４１３により放送通知情報Ｄ１の受信を終了させるとともに、放送通知情報識別子Ｄ２が異なる場合に、情報出力部４４０において放送通知情報Ｄ１を受信した旨の表示を行う。
【００３２】
放送データ受信判定部４１２は放送データを受信するか否かの判定を行う。放送終了処理部４１３は、お知らせ表示出力判定部４１１の判定に基づき（放送通知情報識別子が同一の場合）、放送通知情報の受信を終了させる。
【００３３】
入出力処理部４３０は、情報出力部４４０において映像情報の出力や音声情報の出力を実行するための制御処理、及び操作入力部４５０において入力情報の制御処理を行う。
【００３４】
情報出力部４４０は、ディスプレイ４４１と、スピーカ４４２と、バイブレータ４４３とを備えている。ディスプレイ４４１は、液晶（LED）、有機エレクトロルミネッセンス（EL）等により構成されており、放送通知情報、放送番組情報、放送データの文字や映像等を表示する。図６にはディスプレイ４４１に「野球」が放送中である旨の放送通知情報が表示されている状態を示している。図７にはディスプレイ４１１に「サッカー」及び「野球」が放送中である旨の放送通知情報が表示されている状態を示している。
【００３５】
スピーカ４４２は、放送データの音楽、音声等を出力する。バイブレータ４４３は、電話の着信、メイルの着信、放送通知情報の着信、放送番組情報の着信等の際に放送データ受信端末４１〜４３自信を振動させ、それらの着信があった旨をユーザに知らせる。
【００３６】
操作入力部４５０は、入力キー４５１と、入力ボタン４５２と、音声入力部４５３とを備えている。
【００３７】
［放送データ送信サーバの構成］
放送データ送信サーバ１０は、図８に示すように、放送通知情報Ｄ１に放送通知情報識別子Ｄ２を付加する識別子付加手段と、放送通知情報Ｄ１を送信する放送通知情報送信手段と、放送通知情報Ｄ１に基づく放送データの受信可能通知情報（放送番組情報）を受信する受信手段と、受信可能通知情報を解析する解析手段と、受信可能通知情報（放送番組情報）に対応する放送データを送信する放送データ送信手段とを備えて構築されている。更に、放送データ送信サーバ１０は、放送データ取得部１０１と、放送データ保存部１０２と、放送番組情報送信部１０７とを備えている。
【００３８】
放送データ取得部１０１は、図２に示すように、放送データ提供サーバ５１〜５３からインターネット６０を通して放送データを取得する。取得された放送データは、放送データ保存部１０２に保存される。
【００３９】
識別子付加手段は識別子付加部１０３により構成されている。この識別子付加部１０３は放送データ取得部１０１から送信される放送通知情報Ｄ１に放送通知情報識別子Ｄ２を付加する。放送通知情報送信部１０４は放送通知情報識別子Ｄ２が付加された放送通知情報Ｄ１を放送データ受信端末４１〜４３に送信（配信）する。また、放送データ保存部１０２は放送通知情報識別子Ｄ２が付加された放送通知情報Ｄ１を放送データを関連付けて保存する。
【００４０】
受信手段は放送番組情報要求受信部（受信可能通知情報受信部）１０５により構成されている。受信可能通知情報受信部１０５は放送データ受信端末４１〜４３から送信される放送番組情報要求（受信可能通知情報）を受信する。
【００４１】
解析手段は解析部１０６により構成されている。解析部１０６は受信可能通知情報受信部１０５において受信された受信可能通知情報を解析する。放送番組情報送信部１０７は放送番組情報を送信する。
【００４２】
放送データ送信手段は放送データ送信部１０８により構成されている。放送データ送信部１０８は放送データ受信端末４１〜４３から送信される受信可能通知情報に基づき放送データ受信端末４１〜４３に放送データを送信（配信）する。
【００４３】
［放送データ通信方法］
次に、図２に示す放送データ送信システム１において、放送データ通信方法を、図１及び図９を用いて説明する。
【００４４】
まず最初に、図８に示す放送データ送信サーバ１０の放送データ取得部１０１に、図２に示す放送データ提供サーバ５１〜５３からインターネット６０を経由して映像、音楽、ニュース、広告等のコンテンツを含む放送データが受信される。放送データ取得部１０１は受信された放送データを放送データ保存部１０２に保存する。識別子付加部１０３においては、放送データ取得部１０１から放送通知情報Ｄ１が送信され、この放送通知情報Ｄ１には図４に示す放送通知情報識別子Ｄ２が付加される。この放送通知情報識別子Ｄ２が付加された放送通知情報Ｄ１は放送通知情報送信部１０４から放送データ受信端末４１〜４３に送信される。
【００４５】
図２に示すように、放送データ送信サーバ１０から送信された放送通知情報Ｄ１は、コアネットワーク２０及び基地局３１〜３３を経由して放送データ受信端末４１〜４３に配信される。図４及び図９に示すように、放送通知情報Ｄ１が放送データ送信サーバ１０から放送データ受信端末４１〜４３に配信されることにより、放送通知情報Ｄ１に含まれる放送通知情報識別子Ｄ２も同様に放送データ送信サーバ１０から放送データ受信端末４１〜４３に送信される。
【００４６】
放送データ受信端末４１〜４３においては、図１のステップＳ１に示すように、放送通知情報Ｄ１が図３に示す通信手段４００の放送通知情報受信部４０１において受信される。ここで、ステップＳ２に示すように、放送データ保存部４２０に格納されている放送通知情報識別子（通知不要情報）Ｄ２を参照し、受信された放送通知情報Ｄ１の放送通知情報識別子Ｄ２が放送データ保存部４２０に既に格納されている放送通知情報識別子Ｄ２であるか否かが、放送データ処理部４１０のお知らせ表示出力判定部４１１において判定される。
【００４７】
受信された放送通知情報Ｄ１の放送通知情報識別子Ｄ２が既に格納されている放送通知情報識別子Ｄ２と同一であると判定された場合とは、放送通知情報Ｄ１をユーザが既に視聴していることを意味する。このお知らせ表示出力判定部４１１の判定結果に基づき、入出力処理部４３０は、情報出力部４４０のディスプレイ４４１において放送通知情報Ｄ１が受信された旨の表示を行わない制御を行う。更に、放送データ受信判定部４１２は、放送通知情報Ｄ１に含まれる放送番組識別子に対応する放送番組情報及び放送データの受信を行うか否かを判定し、そしてステップＳ９に示すように、放送終了処理部４１３において以後の放送番組情報及び放送データの受信を終了させる（受信を停止させる）。つまり、放送データ受信端末４１〜４３においては、放送データ送信サーバ１０に対して放送番組情報及び放送データを要求する受信可能通知情報を送信せず、放送番組情報及び放送データを情報出力部４４０において表示させない。結果的に、放送通知情報Ｄ１の放送通知情報識別子Ｄ２に基づき、ユーザが要望しない放送番組情報及び放送データを、放送データ受信端末４１〜４３において自動的に受信しないようにすることができる。
【００４８】
具体的には、図４及び図９に示す放送通知情報Ｄ１（ａ）を最初に受信した場合、放送データ保存部４２０には、放送通知不要情報が保存されていないので、放送通知を図６のように行う。ユーザは、図６のように「野球」番組に関する放送に興味があれば「野球」番組を選択する。放送データ保存部４２０に放送通知不要情報が保存されていたならば、ユーザへの通知は行わない（Ｓ２）。ここでは、「野球」番組に関する放送データをユーザが視聴済みであるとすると、２つ目の放送通知情報Ｄ１（ｂ）を受信してもユーザへの通知は行われない。放送通知情報Ｄ１（ａ）とＤ１（ｂ）とが同一の放送データであることは、放送通知情報識別子Ｄ２を持って判定する。次に、３つ目の放送通知情報Ｄ１（ｃ）を受信した場合、放送データ保存部４２０には、放送通知情報Ｄ１（ｃ）の放送通知情報識別子Ｄ２（ｃ）は保存されていないので（Ｓ２）、ユーザへの通知を行う（Ｓ３）。
このときに、ユーザへの通知の例としては、図７のように表示する。ここでは、現在受信可能な放送データとして、新規放送の「サッカー」番組と、既に視聴済みの「野球」番組とが表示されている。新規放送の番組と、視聴済みの放送の番組とは、例えば文字の大きさや、色を変えるなどにより容易に区別することができる。なお、視聴済みの放送データが現時刻でも有効か否かは、放送番組情報に放送期間情報を含めることにより、判断することができる。
【００４９】
ここで、ユーザにより、「サッカー」番組が選択されたとすると、放送番組情報取得部４０２により放送番組情報を取得する（Ｓ４）。放送番組情報要求（受信可能通知情報）には、放送番組情報識別子（http://www.BCserver.com/broadcast/cid=00001115）が含まれており、放送データ送信サーバ１０において、どの放送番組の情報を要求しているのかが分かる。
【００５０】
次に、放送番組情報を受信すると放送番組情報に含まれる、番組の詳細情報を表示する。ここでは、「ワールドカップ ハイライトシーン」と表示する。ユーザは、放送データを視聴するか否かを選択する（Ｓ５）。視聴するならば、放送データを受信する（Ｓ６）。視聴しないならば、放送通知情報が不要であることを放送データ保存部４２０に保存する（Ｓ８）。
【００５１】
更に、放送通知情報Ｄ１（ｃ）が放送データ受信端末４１〜４３において受信された場合、放送データ保存部４２０に格納された放送通知情報識別子Ｄ２のコンテンツＩＤｄ２と、受信された放送通知情報Ｄ１（ｃ）の放送通知情報識別子Ｄ２のコンテンツＩＤｄ２とは同一でないと判定され、放送通知情報Ｄ１（ｃ）を受信した旨の表示、すなわち図７に示すように「野球」番組に加えて「サッカー」番組を表示する。
【００５２】
一方、ステップＳ２において、受信された放送通知情報Ｄ１の放送通知情報識別子Ｄ２が既に格納されている放送通知情報識別子Ｄ２と同一でない場合とは、放送通知情報Ｄ１、放送番組情報及び放送データをユーザがまた視聴していないこと（図９において「新規番組検出」）を意味する。このお知らせ表示出力判定部４１１の判定結果に基づき、入出力処理部４３０は、情報出力部４４０のディスプレイ４４１において放送通知情報Ｄ１が受信された旨の映像を表示する。また、スピーカ４４２において放送通知情報Ｄ１が受信された旨の音声や音楽を出力する、若しくはバイブレータ４４３において放送通知情報Ｄ１が受信された旨の振動を発生させる。
【００５３】
放送通知情報Ｄ１が受信されると、放送データ受信端末４１〜４３の放送番組情報取得部（受信可能通知情報送信部）４０２は、放送データ送信サーバ１０に放送番組情報及び放送データを受信可能な受信可能通知情報（放送番組情報要求）を送信する。この受信可能通知情報は、図８に示す放送データ送信サーバ１０の受信可能通知情報受信部１０５に受信される。受信可能通知情報受信部１０５は、解析部１０６において、受信可能通知情報の内容を解析し、放送データ保存部１０２に格納されている、受信可能通知情報に対応する放送番組情報、放送データのそれぞれを抽出する。
【００５４】
放送データ保存部１０２に格納されている放送番組情報は、放送番組情報送信部１０７において、受信可能通知情報を送信した放送データ受信端末４１〜４３に送信される。放送データ受信端末４１〜４３においては、図３に示す通信手段４００の放送番組情報取得部４０２において受信される。ステップＳ３に示すように、放送番組選択画面として図６及び図７に示す情報出力部４４０のディスプレイ４４１に放送番組情報が表示される。
【００５５】
ステップＳ４に示すように、放送番組選択画面としてディスプレイ４４１に表示された放送番組情報に基づき、ユーザは本人の要望に応じて放送番組を取得することができる。そして、ステップＳ５に示すように、ユーザは、取得した放送番組において放送データを受信するか否かをユーザ本人が決定する。この操作は、図３に示す放送データ受信端末４１〜４３の操作入力部４５０において行う。
【００５６】
放送データを受信する決定をした場合、図８に示す放送データ送信サーバ１０の放送データ送信部１０８から、図９に示すように放送データが、図３に示す放送データ受信端末４１〜４３の通信手段４００の放送データ受信部４０３において受信される。この受信された放送データは、放送データ処理手段４１０の放送データ受信判定部４１２において受信する旨の判定がなされ、ステップＳ６に示すように、入出力処理部４３０において放送データの受信処理を実行し、情報出力部４４０において再生される。
【００５７】
放送データが放送データ受信端末４１〜４３において受信された場合、ステップＳ７に示すように、放送データ受信判定部４１２において、放送データを既読した旨の放送データ既読フラグを設定する。放送データ既読フラグの設定は、ユーザ本人が行うか、又はプログラム若しくは論理回路によって自動的に行う。
【００５８】
放送データ既読フラグが設定されると、この放送データ既読フラグは、放送データ受信端末４１〜４３から放送データ送信サーバ１０に受信可能通知情報を通知しない通知不要情報として図３に示す放送データ保存部４２０に格納される。そして、通知不要情報が放送データ保存部４２０に格納された後、ステップＳ９に示すように、放送データの受信が終了する。なお、既読の放送データについて、ユーザが、今後、放送データ受信端末４１〜４３において、放送通知情報Ｄ１の受信が必要ないという要望であれば、その旨を放送番組識別子と対応させて、放送データ保存部４２０に格納するようにしてもよい。
【００５９】
一方、放送データ既読フラグを設定しない場合、同ステップＳ９に示すように、放送データの受信が終了する。また、前述のステップＳ５において、放送データを受信しない場合には、放送データ既読フラグを設定する場合と同様に、ステップＳ８に示すように、通知不要情報を放送通知情報識別子Ｄ２に対応づけて放送データ保存部４２０に格納した後、ステップＳ９に示すように、放送データの受信を終了する。
【００６０】
なお、放送データ受信端末４１〜４３の放送データ保存部４２０に通知不要情報が格納されている場合であっても、ユーザは放送番組情報を参照して放送データを受信することが可能であり、ユーザからの要望による放送データの受信行為を妨げるものではない。
【００６１】
更に、実施の形態１においては、既読の放送通知情報Ｄ１の放送通知情報識別子Ｄ２を用いて放送番組情報及び放送データの受信を制御した例を説明したが、本発明は、放送番組情報の放送番組情報識別子を用いて放送番組情報及び放送データの受信を制御するようにしてもよい。
【００６２】
実施の形態１によれば、放送通知情報Ｄ１に含まれる放送通知情報識別子Ｄ２に基づき、同一の放送通知情報識別子Ｄ２を含む放送通知情報Ｄ１の受信を終了することができるので、ユーザが要望しない放送データの受信を停止することができる。特に、同一の放送通知情報が定期的に繰り返して配信されるような場合、放送データ受信端末４１〜４３において、ユーザが頻繁に操作して放送番組情報や放送データの受信を制限する煩わしさを軽減することができる。
【００６３】
（実施の形態２）
本発明の実施の形態２は、放送データ通信方法、放送データ受信端末４１〜４３及び放送データ通信システム１において、１つ以上の放送番組情報から構築される放送番組群を示すサービス識別子を放送通知情報識別子として放送データの受信制御を行う場合を説明するものである。
【００６４】
実施の形態２に係る放送データ通信システム１の放送データ送信サーバ１０は、基本的な構成が実施の形態１に係る図８に示す放送データ送信サーバ１０と同一であるが、識別子付加部１０３に代えて、図１０に示すように、サービス識別子付加部１０９を備えている。
【００６５】
放送通知情報Ｄ１（ｄ〜ｆ）は、図１１に示すように、「野球」番組、「サッカー」番組等の１つ以上の放送番組情報から構築される放送番組群を示す放送サービス情報Ｄ３を含み、この放送サービス情報Ｄ３を放送通知情報識別子として使用する。より詳細には、サービス識別子ｄ４に基づき放送通知情報Ｄ１（ｄ）、Ｄ１（ｅ）、Ｄ１（ｆ）のそれぞれの間の識別を行うことができる。サービス識別子ｄ４は、放送番組群の情報のハッシュ値（”jdlafdkala”）としている。
【００６６】
放送通知情報Ｄ１（ｄ）又はＤ１（ｅ）は、放送データ受信端末４１〜４３のディスプレイ４４１において、例えば図１２に示すように表示される。放送通知情報Ｄ１（ｆ）は、放送通知情報Ｄ１（ｄ）又はＤ１（ｅ）のサービス識別子Ｄ３が相違しており、ディスプレイ４４１において、例えば図１３に示すように表示される。
【００６７】
放送データ通信システム１において、放送通知情報Ｄ１（ｄ）、Ｄ１（ｅ）、Ｄ１（ｆ）、受信可能通知情報、放送番組情報及び放送データの情報の流れは、前述の実施の形態１に係る図９に示す放送データ通信システム１の情報の流れと基本的には同様であり、図１４に示す通りである。また、放送データ通信方法は、前述の実施の形態１に係る図１に示すステップと基本的には同様であるので、ここでの説明は省略する。
【００６８】
実施の形態２によれば、実施の形態１に係る放送データ通信方法、放送データ受信端末４１〜４３及び放送データ通信システム１により得られる効果に加えて、１以上の放送番組情報を１つの放送番組群とし、この放送番組群を識別するサービス識別子ｄ４を放送通知情報の放送通知情報識別子として使用したので、１つの放送番組毎に放送通知情報を受信することが無くなり、放送通知情報の配信頻度若しくは受信頻度を軽減することができる。
【００６９】
（実施の形態３）
本発明の実施の形態３は、放送データ通信方法、放送データ受信端末４１〜４３及び放送データ通信システム１において、放送通知情報Ｄ１のデータサイズを縮小化する場合を説明するものである。
【００７０】
実施の形態３に係る放送データ通信方法は、図１５及び図１６に示すように、ステップＳ１０において放送データ受信端末４１〜４３に放送通知情報Ｄ１が受信される。そして、ステップＳ１１に示すように、この放送通知情報Ｄ１に基づき放送データを受信するか否かを判定する。
【００７１】
前述の実施の形態１に係る図１に示す放送通知情報Ｄ１に対して、実施の形態３に係る図１７に示す放送通知情報Ｄ１（Ｘ）、Ｄ１（Ｙ）、Ｄ１（Ｚ）は、サーバアドレスを含むコンテンツの位置情報ｄ１とコンテンツＩＤｄ２とを含む放送通知情報識別子Ｄ２のみで、表示情報ｄ３がない情報構成になっている。
【００７２】
ステップＳ１１において、放送データを受信しない判定の場合、ステップＳ１８に示すように、放送データの受信を終了する。放送データを受信する判定の場合、ステップＳ１２に示すように、放送番組情報を取得する。放送番組情報は例えば図１８に示すような情報を備えている。この放送番組情報に基づき、ステップＳ１３に示すように、放送データ受信端末４１〜４３のディスプレイ４４１において放送番組選択画面が表示される。図１９に示すディスプレイ４４１には図１７に示す放送通知情報Ｄ１（Ｘ）又はＤ１（Ｙ）に基づく放送番組情報が表示されている。図２０に示すディスプレイ４４１には放送通知情報Ｄ１（Ｚ）に基づく放送番組情報が表示されている。
【００７３】
ステップＳ１４に示すように、放送データを受信するか否か、ユーザにおいて選択する。放送データを受信する場合には、ステップＳ１５に示すように、前述の実施の形態１に係る放送データ通信方法と同様に、放送データ受信端末４１〜４３から放送データ送信サーバ１０に受信可能通知情報を送信する。この受信可能通知情報の送信に伴い、放送データが放送データ受信端末４１〜４３において受信することができる。受信された放送データには受信処理が行われる。なお、図１４では受信可能通知情報を放送番組要求情報としているが、放送可能通知情報は別途送受信するようにしても良い。
【００７４】
ステップＳ１６において、放送データ既読フラグを設定するか否かを判定する。放送データ既読フラグを設定する場合には、前述の図３に示す放送データ保存部４２０に通知不要情報として放送通知情報識別子Ｄ２を格納する。放送データ既読フラグを設定しない場合には、ステップＳ１８に示すように、放送データの受信を終了する。
【００７５】
一方、ステップＳ１４において、放送データを受信しない場合には、ステップＳ１７に示すように、放送データ保存部４２０に通知不要情報を格納する。
【００７６】
実施の形態３によれば、放送番組情報を要求する段階と、放送番組情報を取得する段階とを行った後に、受信可能通知情報を送信するようにしたので、放送通知情報Ｄ１に放送番組情報を含める必要がなくなり、放送通知情報Ｄ１のデータサイズを小さくすることができる。なお、放送通知情報はＤ１は、放送サービス識別子を用いることとしても良い。
【産業上の利用可能性】
【００７７】
本発明に係る放送データ通信方法、放送データ受信端末及び放送データ通信システムは、ユーザが要望しない放送データの受信に伴う無駄な電力消費を低減することができるとともに、ユーザが要望しない放送データに関する放送通知を行わないことにより、放送通知が行われることに伴う煩わしさを減少することができるという効果を有し、ポケットベル、無線機、携帯情報端末（ＰＤＡ：Personal Digital Assistant）、ノート型パーソナルコンピュータ、無線ＬＡＮや有線ＬＡＮにより構築されたネットワーク上のパーソナルコンピュータ等の放送データ通信方法、放送データ受信端末及び放送データ通信システムに有効である。
【図面の簡単な説明】
【００７８】
【図１】本発明の実施の形態１に係る放送データ通信方法を説明するフローチャート
【図２】本発明の実施の形態１に係る放送データ通信システムの構築図
【図３】図２に示す放送データ通信システムの放送データ受信端末のブロック図
【図４】図１に示す放送データ通信方法における放送通知情報を示す図
【図５】図１に示す放送データ通信方法における放送番組情報を示す図
【図６】図３に示す放送データ受信端末のディスプレイを示す図
【図７】図３に示す放送データ受信端末のディスプレイを示す図
【図８】図２に示す放送データ通信システムの放送データ送信サーバのブロック図
【図９】本発明の実施の形態１に係る放送データ通信方法を説明するシーケンス
【図１０】本発明の実施の形態２に係る放送データ通信システムの放送データ送信サーバのブロック図
【図１１】本発明の実施の形態２に係る放送データ通信システムにおいて使用される放送通知情報を示す図
【図１２】本発明の実施の形態２に係る放送データ通信システムの放送データ受信端末のディスプレイを示す図
【図１３】図１２に示す放送データ受信端末の他の情報を表示するディスプレイを示す図
【図１４】本発明の実施の形態２に係るデータ通信方法を説明するシーケンス
【図１５】本発明の実施の形態３に係る放送データ通信方法を説明するフローチャート
【図１６】図１５に示す放送データ通信方法を説明するシーケンス
【図１７】図１５に示す放送通知情報を示す図
【図１８】図１５に示す放送通知情報に含まれる放送番組情報を示す図
【図１９】本発明の実施の形態３に係る放送データ通信システムの放送データ受信端末のディスプレイを示す図
【図２０】図１９に示す放送データ受信端末の他の情報を表示するディスプレイを示す図
【符号の説明】
【００７９】
１  放送データ通信システム
１０  放送データ送信サーバ
１０１  放送データ取得部
１０２  放送データ保存部
１０３  識別子付加部
１０４  放送通知情報送信部
１０５  受信可能通知情報受信部
１０６  解析部
１０７  放送番組情報送信部
１０８  放送データ送信部
１０９  サービス識別子付加部
２０  コアネットワーク
３１〜３３  基地局
４１〜４３  放送データ受信端末
５１〜５３  放送データ提供サーバ
６０  インターネット
４００  通信手段
４０１  放送通知情報受信部
４０２  放送番組情報取得部
４０３  放送データ受信部
４０４  受信可能通知情報送信部
４１０  放送データ処理部
４１１  お知らせ表示出力判定部
４１２  放送データ受信判定部
４１３  放送終了処理部
４２０  放送データ保存部
４３０  入出力処理部
４４０  情報出力部
４４１  ディスプレイ
４４２  スピーカ
４４３  バイブレータ
４５０  操作入力部
４５１  入力キー
４５２  入力ボタン
４５３  音声入力部
Ｄ１  放送通知情報
Ｄ２  放送通知情報識別子
Ｄ３  サービス識別子
【図１】
2005223649.tif 000003
【図２】
2005223649.tif 000004
【図３】
2005223649.tif 000005
【図４】
2005223649.tif 000006
【図５】
2005223649.tif 000007
【図６】
2005223649.tif 000008
【図７】
2005223649.tif 000009
【図８】
2005223649.tif 000010
【図９】
2005223649.tif 000011
【図１０】
2005223649.tif 000012
【図１１】
2005223649.tif 000013
【図１２】
2005223649.tif 000014
【図１３】
2005223649.tif 000015
【図１４】
2005223649.tif 000016
【図１５】
2005223649.tif 000017
【図１６】
2005223649.tif 000018
【図１７】
2005223649.tif 000019
【図１８】
2005223649.tif 000020
【図１９】
2005223649.tif 000021
【図２０】
2005223649.tif 000022